【手続補正書】
【提出日】平成16年11月10日(2004.11.10)
【手続補正１】
【補正対象書類名】明細書
【補正対象項目名】発明の名称
【補正方法】変更
【補正の内容】
【発明の名称】発光装置
【手続補正２】
【補正対象書類名】明細書
【補正対象項目名】特許請求の範囲
【補正方法】変更
【補正の内容】
【特許請求の範囲】
【請求項１】
ＥＬ素子を有する複数の画素が設けられ、
１フレーム期間において、前記ＥＬ素子が発光している期間のうちの所定の期間における前記ＥＬ素子の輝度が、前記ＥＬ素子が発光している期間のうちの前記所定の期間以外の期間における前記ＥＬ素子の輝度に比べて高いことを特徴とする発光装置。
【請求項２】
ＥＬ素子を有する複数の画素が設けられ、
１フレーム期間に複数のサブフレーム期間が設けられており、
前記複数のサブフレーム期間の少なくとも１つのサブフレーム期間において、前記ＥＬ素子が発光している期間のうちの所定の期間における前記ＥＬ素子の輝度が、前記ＥＬ素子が発光している期間のうちの前記所定の期間以外の期間における前記ＥＬ素子の輝度に比べて高いことを特徴とする発光装置。
【請求項３】
ＥＬ素子を有する複数の画素が設けられ、
前記ＥＬ素子は画素電極と、対向電極と、前記画素電極と前記対向電極の間に設けられたＥＬ層とを有し、
前記ＥＬ素子が発光しているときに前記画素電極に与えられる電位は常に一定であり、
前記対向電極に与えられる電位の高さを変えることで、１フレーム期間において、前記ＥＬ素子が発光している期間のうちの所定の期間における前記ＥＬ素子の輝度を、前記ＥＬ素子が発光している期間のうちの前記所定の期間以外の期間における前記ＥＬ素子の輝度に比べて高くすることを特徴とする発光装置。
【請求項４】
ＥＬ素子を有する複数の画素が設けられ、
１フレーム期間に複数のサブフレーム期間が設けられており、
前記ＥＬ素子は、画素電極と、対向電極と、前記画素電極と前記対向電極の間に設けられたＥＬ層とを有し、
前記ＥＬ素子が発光しているときに前記画素電極に与えられる電位は常に一定であり、
前記複数のサブフレーム期間の少なくとも１つのサブフレーム期間において、前記対向電極に与えられる電位の高さを変えることで、前記ＥＬ素子が発光している期間のうちの所定の期間における前記ＥＬ素子の輝度を、前記ＥＬ素子が発光している期間のうちの前記所定の期間以外の期間における前記ＥＬ素子の輝度に比べて高くすることを特徴とする発光装置。
【請求項５】
ＥＬ素子を有する複数の画素が設けられ、
前記ＥＬ素子は画素電極と、対向電極と、前記画素電極と前記対向電極の間に設けられたＥＬ層とを有し、
前記ＥＬ素子が発光しているときに前記対向電極に与えられる電位は常に一定であり、
前記画素電極に与えられる電位の高さを変えることで、１フレーム期間において、前記ＥＬ素子が発光している期間のうちの所定の期間における前記ＥＬ素子の輝度を、前記ＥＬ素子が発光している期間のうちの前記所定の期間以外の期間における前記ＥＬ素子の輝度に比べて高くすることを特徴とする発光装置。
【請求項６】
ＥＬ素子を有する複数の画素が設けられ、
１フレーム期間に複数のサブフレーム期間が設けられており、
前記ＥＬ素子は、画素電極と、対向電極と、前記画素電極と前記対向電極の間に設けられたＥＬ層とを有し、
前記ＥＬ素子が発光しているときに前記対向電極に与えられる電位は常に一定であり、
前記複数のサブフレーム期間の少なくとも１つのサブフレーム期間において、前記画素電極に与えられる電位の高さを変えることで、前記ＥＬ素子が発光している期間のうちの所定の期間における前記ＥＬ素子の輝度を、前記ＥＬ素子が発光している期間のうちの前記所定の期間以外の期間における前記ＥＬ素子の輝度に比べて高くすることを特徴とする発光装置。
【請求項７】
ＥＬ素子、第１のＴＦＴ及び第２のＴＦＴを有する複数の画素と、第１の電源と、第２の電源とが設けられ、
前記ＥＬ素子は、画素電極と、対向電極と、前記画素電極と前記対向電極の間に設けられたＥＬ層とを有し、
前記ＥＬ素子が発光しているときに前記対向電極に与えられる電位は常に一定であり、
１フレーム期間において、前記第１のＴＦＴを介して前記第１の電源から前記画素電極に電位を与えるか、前記第２のＴＦＴを介して前記第２の電源から前記画素電極に電位を与えるかを選択して、前記画素電極に与えられる電位の高さを変えることで、前記ＥＬ素子が発光している期間のうちの所定の期間における前記ＥＬ素子の輝度を、前記ＥＬ素子が発光している期間のうちの前記所定の期間以外の期間における前記ＥＬ素子の輝度に比べて高くすることを特徴とする発光装置。
【請求項８】
ＥＬ素子、第１のＴＦＴ及び第２のＴＦＴを有する複数の画素と、第１の電源と、第２の電源とが設けられ、
１フレーム期間に複数のサブフレーム期間が設けられており、
前記ＥＬ素子は、画素電極と、対向電極と、前記画素電極と前記対向電極の間に設けられたＥＬ層とを有し、
前記ＥＬ素子が発光しているときに前記対向電極に与えられる電位は常に一定であり、
前記複数のサブフレーム期間の少なくとも１つのサブフレーム期間において、前記第１のＴＦＴを介して前記第１の電源から前記画素電極に電位を与えるか、前記第２のＴＦＴを介して前記第２の電源から前記画素電極に電位を与えるかを選択して、前記画素電極に与えられる電位の高さを変えることで、前記ＥＬ素子が発光している期間のうちの所定の期間における前記ＥＬ素子の輝度を、前記ＥＬ素子が発光している期間のうちの前記所定の期間以外の期間における前記ＥＬ素子の輝度に比べて高くすることを特徴とする発光装置。
【請求項９】
ＥＬ素子を有する複数の画素が設けられ、
第１のモードでは、前記ＥＬ素子が発光している期間において、前記ＥＬ素子の輝度が常に一定に保たれており、
第２のモードでは、前記ＥＬ素子が発光している期間のうちの所定の期間における前記ＥＬ素子の輝度が、前記ＥＬ素子が発光している期間のうちの前記所定の期間以外の期間における前記ＥＬ素子の輝度に比べて高くなっていることを特徴とする発光装置。
【請求項１０】
ＥＬ素子を有する複数の画素が設けられ、
第１のモードでは、前記ＥＬ素子が発光している期間において、前記ＥＬ素子の輝度が常に一定に保たれており、
第２のモードでは、前記ＥＬ素子が発光している期間のうちの所定の期間における前記ＥＬ素子の輝度が、前記ＥＬ素子が発光している期間のうちの前記所定の期間以外の期間における前記ＥＬ素子の輝度に比べて高くなっており、
前記複数の画素のうち、表示する階調が一定の階調より暗い画素では前記第１のモードで動作し、
前記複数の画素のうち、表示する階調が一定の階調より明るい画素では前記第２のモードで動作することを特徴とする発光装置。
【請求項１１】
ＥＬ素子を有する複数の画素が設けられ、
第１のモードでは、前記ＥＬ素子が発光している期間において、前記ＥＬ素子の輝度が常に一定に保たれており、
第２のモードでは、前記ＥＬ素子が発光している期間のうちの所定の期間における前記ＥＬ素子の輝度が、前記ＥＬ素子が発光している期間のうちの前記所定の期間以外の期間における前記ＥＬ素子の輝度に比べて高くなっており、
前記複数の画素のうち、隣接する画素に比べて、表示する階調が一定の値以上明るい画素のみ前記第２のモードで動作し、
前記複数の画素のうち、隣接する画素に比べて、表示する階調が一定の値以上明るい画素以外の画素は前記第１のモードで動作することを特徴とする発光装置。
【請求項１２】
請求項１乃至請求項１１のいずれか一項において、
前記発光装置を用いたビデオカメラ、デジタルカメラ、ヘッドマウントディスプレイ、ナビゲーションシステム、音響再生装置、パーソナルコンピュータ、ゲーム機器、携帯情報端末、モバイルコンピュータ、携帯電話、携帯型ゲーム機、電子書籍または記録媒体を備えた画像再生装置。